(57)【要約】【課題】小型の包装箱において、その部材を利用して立体的なスプーンを簡単に形成できるようにする。【解決手段】周壁をなすように各一対の側板１及び端板２を連設し、端板２の端縁から延びる蓋片６と、側板１の端縁から延びる蓋板７とを重ね合わせて蓋壁２０を形成した包装箱において、蓋壁２０から両側板１の角部付近を経て一方の端板２の両側縁沿いに延びる切目線８，９，１０を入れ、この端板２に、蓋壁２０との稜線から中央部を長さ方向に延びる山折線１２と、両側板１へ向けて斜めに延びる谷折線１３とを設け、開封時に切目線８，９，１０を切断し、これに伴い分離した部分を山折線１２及び谷折線１３沿いに折り曲げて、スプーン２１を形成する。【選択図】図６
2005289430.tif 000002
【特許請求の範囲】
【請求項１】
周壁をなすように各一対の側板及び端板を連設し、端板の端縁から延びる蓋片と、側板の端縁から延びる蓋板とを重ね合わせて蓋壁を形成した包装箱において、蓋壁から両側板の角部付近を経て一方の端板の両側縁沿いに延びる切目線を入れ、この端板に、蓋壁との稜線から中央部を長さ方向に延びる山折線と、両側板へ向けて斜めに延びる谷折線とを設け、開封時に切目線を切断し、これに伴い分離した部分を山折線及び谷折線沿いに折り曲げて、スプーンを形成するようにしたことを特徴とする計量スプーン付包装箱。
【発明の詳細な説明】
【技術分野】
【０００１】
この発明は、小麦粉やココア等の粉末製品を収納する包装箱に関するものである。
【背景技術】
【０００２】
例えば、粉末洗剤の容器には、洗濯時に投入する洗剤の量を計るため、計量用のスプーンが添付される。この種のスプーンは、プラスチック製として、容器内に洗剤と共に収納される場合が多いが、近年、再資源化等を考慮して、下記特許文献１に示されたように、スプーンを紙で形成する容器が提案されている。
【０００３】
この特許文献１に記載された容器では、図７に示すように、洗剤を収納した容器本体５１に蓋体５２が開閉自在に連設され、容器本体５１の上面を封止する板紙製の封止材５３に、開封用の切目線５４と、スプーン構成部５５の輪郭をなす切目線５６とが入れられると共に、スプーン構成部５５の内部に折目線５７が設けられている。
【０００４】
そして、この容器内の洗剤を使い始める際には、切目線５４を切断して封止材５３を開口させ、切目線５６を切断し、図８に示すように、スプーン構成部５５を折目線５７沿いに折り曲げて、計量用スプーン５８を形成する。
【特許文献１】特開２０００−６２７６２号公報
【発明の開示】
【発明が解決しようとする課題】
【０００５】
しかしながら、製菓材料等の粉末を収納する小型の包装箱の場合には、上記のようにスプーンを形成できる封止材を備えていないので、市販の計量スプーンを別途用意して使用しなければならないという煩わしさがある。
【０００６】
そこで、この発明は、小型の包装箱において、その部材を利用して立体的なスプーンを簡単に形成できるようにすることを課題とする。
【課題を解決するための手段】
【０００７】
上記課題を解決するため、この発明は、周壁をなすように各一対の側板及び端板を連設し、端板の端縁から延びる蓋片と、側板の端縁から延びる蓋板とを重ね合わせて蓋壁を形成した包装箱において、蓋壁から両側板の角部付近を経て一方の端板の両側縁沿いに延びる切目線を入れ、この端板に、蓋壁との稜線から中央部を長さ方向に延びる山折線と、両側板へ向けて斜めに延びる谷折線とを設け、開封時に切目線を切断し、これに伴い分離した部分を山折線及び谷折線沿いに折り曲げて、スプーンを形成するようにしたのである。
【発明の効果】
【０００８】
この包装箱では、開封時に切り取った箱の角部から端板に至る部分をスプーンとして利用するので、開封作業と別にスプーンの部分を切り取る作業を行う必要がなく、スプーンの掬い部となる箱の角部は予め立体化されているため、端板を山折線及び谷折線沿いに折り曲げて柄の部分を形成するだけで、スプーンを組み立てることができる。
【０００９】
また、スプーンの部分を分離させる際、ごみとして廃棄する部分が生じることもなく、容量の大きなスプーンを形成することができる。
【発明を実施するための最良の形態】
【００１０】
以下、この発明の実施形態を添付図面に基づいて説明する。
【００１１】
この包装箱の板紙製ブランクでは、図１に示すように、各一対の側板１及び端板２が交互に連設され、一方の側板１の外側縁には継代片３が連設されている。端板２及び側板１の下縁には底片４及び底板５がそれぞれ連設され、端板２及び側板１の上縁には蓋片６及び蓋板７がそれぞれ連設されている。
【００１２】
中間に位置する一方の端板２に繋がった蓋片６は、先端側がテーパ状に細くなる形状とされ、各蓋板７には、斜めに切り込まれた先端縁の谷部から側板１との稜線へかけて、ミシン目型の切目線８が入れられている。
【００１３】
この端板２に臨む側板１の上角部には、切目線８に連続するジッパ型の切目線９が端板２との稜線へかけて斜め向きに入れられ、端板２の両側縁に沿って切目線９に連続するジッパ型の切目線１０が下端まで入れられている。端板２の下端には、両切目線１０の下端間を繋ぐミシン目型の切目線１１が入れられている。
【００１４】
また、この端板２には、上端中央部から底片４との下端中央部へ至る山折線１２と、上端中央部から両側板１との稜線へ斜めに延びる谷折線１３とが設けられている。山折線１２は通常の罫線とされ、谷折線１３は罫線に切目を入れたものとされている。
【００１５】
また、側板１には、切目線９の中間部から上端角へ至る折目線１４が、蓋板７には、切目線８から基端角へ至る折目線１５がそれぞれ斜めに設けられている。折目線１４は通常の罫線とされ、折目線１５は罫線に切目を入れたものとされている。
【００１６】
そのほか、前記一方の端板２には、山折線１２の途中に２本の切込を入れて台形状のロック片１６が設けられ、テーパ状の蓋板６とその下方の底片４には膨出部１７が、内側となる蓋板７と底板５には膨出部１７に対応する貫窓１８がそれぞれ設けられている。
【００１７】
上記のようなブランクを組み立てるには、図２に示すように、各一対の側板１及び端板２を角筒状に折り曲げ、継代片３を反対側の端板２の内面に貼着して周壁を形成し、底片４及び底板５を順次内側へ折り曲げて貼り合わせ、底壁１９を形成した後、内容物を収納して、蓋片６及び蓋板７を順次内側へ折り曲げて貼り合わせ、蓋壁２０を形成する。
【００１８】
このとき、底片４及び蓋片６の膨出部１７は、貫窓１８を介して外側の底板５及び蓋板７にそれぞれ糊付けし、これらの底片４及び蓋片６を、底壁１９及び蓋壁２０に一体的に固定する。
【００１９】
一方、このように封緘した包装箱を開封する際には、図３に示すように、蓋壁２０の折目線１５に挟まれた部分を押し込んで、内外の蓋板７の一致した切目線８を切断し、その切断部分に生じた隙間に指を入れ、図４に示すように、蓋壁２０の一側部を下方へ引っ張るようにして、切目線９，１０を破断させる。
【００２０】
そして、端板２の下端の切目線１１を切断すると、図５に示すように、箱が開口すると共に、内容物である粉末の計量に使用するスプーン２１の部分が分離する。なお、底片４を底板５に貼着しない場合には、切目線１１を省略しても、スプーン２１を分離できる。
【００２１】
スプーン２１は、図６に示すように、山折線１２及び谷折線１３沿いに折り曲げて、掬い部２２及び柄部２３を形成し、掬い部２２を折目線１４，１５沿いに折り曲げ、ロック片１６の折り曲げにより保形して、箱内の袋Ｐから粉末を掬い出せるようにする。
【００２２】
このように、上記包装箱では、開封時に切り取った箱の角部から一方の端板２に至る部分をスプーン２１として利用するので、開封作業と別にスプーン２１の部分を切り取る作業を行う必要がなく、また、スプーン２１の掬い部２２となる箱の角部は予め立体化されているため、計量精度に優れたスプーン２１を容易に組み立てることができる。
【００２３】
また、スプーン２１の部分を分離させる際、ごみとして廃棄する部分が生じることもなく、掬い部２２の容量の大きなスプーン２１を形成することができる。
【図面の簡単な説明】
【００２４】
【図１】この発明の実施形態に係る包装箱のブランクを示す図
【図２】同上の包装状態を示す斜視図
【図３】同上の開封過程の第１段階を示す斜視図
【図４】同上の開封過程の第２段階を示す斜視図
【図５】同上のスプーン部分の分離状態を示す斜視図
【図６】同上のスプーンの使用状態を示す斜視図
【図７】従来の洗剤容器のスプーン分離前の状態を示す斜視図
【図８】同上のスプーンの使用状態を示す斜視図
【符号の説明】
【００２５】
１  側板
２  端板
３  継代片
４  底片
５  底板
６  蓋片
７  蓋板
８，９，１０，１１  切目線
１２  山折線
１３  谷折線
１４，１５  折目線
１６  ロック片
１７  膨出部
１８  貫窓
１９  底壁
２０  蓋壁
２１  スプーン
２２  掬い部
２３  柄部
【図１】
2005289430.tif 000003
【図２】
2005289430.tif 000004
【図３】
2005289430.tif 000005
【図４】
2005289430.tif 000006
【図５】
2005289430.tif 000007
【図６】
2005289430.tif 000008
【図７】
2005289430.tif 000009
【図８】
2005289430.tif 000010